(57)【特許請求の範囲】
【請求項１】
ＳＩＰによりセッションの開始、終了の制御を行うセッション制御手段を具備し、着端末に着信した着信呼を、該着端末が無応答である場合に着転送先端末に転送する無応答転送サービスを提供するセッション制御サーバを有してなる転送システムであって、
前記セッション制御サーバは、
前記無応答転送サービスの申込を受け付けた場合、前記着端末および前記着転送先端末の電話番号と、前記着端末を無応答と判定する指標として予め設定された無応答時間と、を蓄積する蓄積手段と、
発端末から前記着端末への着信呼を受け付けた場合、前記発端末と前記着端末との間に、前記発端末および前記着端末が対応するメディアタイプに応じたアーリーメディアのメディアセッションを設定するメディアセッション設定手段と、
前記発端末から前記着端末への着信呼を受け付けた場合、該着信呼に対する前記着端末における無応答時間が予め設定された無応答時間を超えたか否かを判定する無応答時間測定手段と、
前記着端末における無応答時間が予め設定された無応答時間を超えた場合、前記発端末から前記着端末への着信呼を前記着転送先端末に転送する転送手段と、
前記着転送先端末に着信呼が転送された場合、前記発端末と前記着端末との間に設定されたメディアセッションを解除し、前記発端末と前記着転送先端末との間に、前記発端末および前記着転送先端末が対応するメディアタイプに応じたアーリーメディアのメディアセッションを再設定するメディアセッション再設定手段と、を有する転送システム。
【請求項２】
前記メディアセッション設定手段は、
前記発端末および前記着端末が共通して対応するメディアタイプがある場合、該共通するメディアタイプによるアーリーメディアのメディアセッションを設定し、
前記発端末および前記着端末が共通して対応するメディアタイプがない場合、メディアセッションの設定を行わず、
前記メディアセッション再設定手段は、
前記発端末および前記着転送先端末が共通して対応するメディアタイプがある場合、該共通するメディアタイプによるアーリーメディアのメディアセッションを再設定し、
前記発端末および前記着転送先端末が共通して対応するメディアタイプがない場合、メディアセッションの再設定を行わない、請求項１に記載の転送システム。
【請求項３】
前記メディアセッション設定手段および前記メディアセッション再設定手段は、
前記発端末からの着信呼に設定されたメディアタイプの情報に応じて、該発端末のメディアタイプを判断し、
前記メディアセッション設定手段は、
前記着端末から返送されてきた、着信呼に対して応答した信号に設定されたメディアタイプの情報に応じて、該着端末のメディアタイプを判断し、
前記メディアセッション再設定手段は、
前記着転送先端末から返送されてきた、着信呼に対して応答した信号に設定されたメディアタイプの情報に応じて、該着転送先端末のメディアタイプを判断する、請求項１または２に記載の転送システム。
【請求項４】
ＳＩＰによりセッションの開始、終了の制御を行うセッション制御手段を具備し、着端末に着信した着信呼を、該着端末が無応答である場合に着転送先端末に転送する無応答転送サービスを提供するセッション制御サーバであって、
前記無応答転送サービスの申込を受け付けた場合、前記着端末および前記着転送先端末の電話番号と、前記着端末を無応答と判定する指標として予め設定された無応答時間と、を蓄積する蓄積手段と、
発端末から前記着端末への着信呼を受け付けた場合、前記発端末と前記着端末との間に、前記発端末および前記着端末が対応するメディアタイプに応じたアーリーメディアのメディアセッションを設定するメディアセッション設定手段と、
前記発端末から前記着端末への着信呼を受け付けた場合、該着信呼に対する前記着端末における無応答時間が予め設定された無応答時間を超えたか否かを判定する無応答時間測定手段と、
前記着端末における無応答時間が予め設定された無応答時間を超えた場合、前記発端末から前記着端末への着信呼を前記着転送先端末に転送する転送手段と、
前記着転送先端末に着信呼が転送された場合、前記発端末と前記着端末との間に設定されたメディアセッションを解除し、前記発端末と前記着転送先端末との間に、前記発端末および前記着転送先端末が対応するメディアタイプに応じたアーリーメディアのメディアセッションを再設定するメディアセッション再設定手段と、を有するセッション制御サーバ。
【請求項５】
前記メディアセッション設定手段は、
前記発端末および前記着端末が共通して対応するメディアタイプがある場合、該共通するメディアタイプによるアーリーメディアのメディアセッションを設定し、
前記発端末および前記着端末が共通して対応するメディアタイプがない場合、メディアセッションの設定を行わず、
前記メディアセッション再設定手段は、
前記発端末および前記着転送先端末が共通して対応するメディアタイプがある場合、該共通するメディアタイプによるアーリーメディアのメディアセッションを再設定し、
前記発端末および前記着転送先端末が共通して対応するメディアタイプがない場合、メディアセッションの再設定を行わない、請求項４に記載のセッション制御サーバ。
【請求項６】
前記メディアセッション設定手段および前記メディアセッション再設定手段は、
前記発端末からの着信呼に設定されたメディアタイプの情報に応じて、該発端末のメディアタイプを判断し、
前記メディアセッション設定手段は、
前記着端末から返送されてきた、着信呼に対して応答した信号に設定されたメディアタイプの情報に応じて、該着端末のメディアタイプを判断し、
前記メディアセッション再設定手段は、
前記着転送先端末から返送されてきた、着信呼に対して応答した信号に設定されたメディアタイプの情報に応じて、該着転送先端末のメディアタイプを判断する、請求項４または５に記載のセッション制御サーバ。
【発明の詳細な説明】
【技術分野】
【０００１】
本発明は、次世代ネットワーク（以下、ＮＧＮ：Next Generation Networkと称する）において、着信呼の転送を行う転送技術に関するものである。
【背景技術】
【０００２】
ＮＧＮは、電話サービスをはじめ、固定通信と移動通信とを融合したサービスや今後開発される新しい情報通信サービスを提供する基盤ネットワークである（例えば、非特許文献１）。
【０００３】
従来のＰＳＴＮ（Public Switched Telephone Network）では、利用者にとって便利なさまざまな付加サービスが提供されているが、付加サービスの中でも、着端末に着信した着信呼を、着端末とは異なる着転送先端末に転送する転送サービスは、ＮＧＮにおいても重要なサービスになる。なお、転送サービスにはさまざまな種別があるが、本発明は、着端末に着信した着信呼を、着端末が無応答である場合に着転送先端末に転送する転送サービス、いわゆる無応答転送サービスを対象とするものである。
【０００４】
ところで、ＮＧＮにおいては、セッション開始プロトコル（以下、ＳＩＰ：Session Initiation Protocolと称する）によりセッションの開始、終了の制御を行うため、セッション制御サーバを使って、上記の無応答転送サービスを実現する必要がある。
【０００５】
また、ＮＧＮにおいては、発信者による発呼時に、ＳＩＰのセッションが確立するまでの間に、アーリーメディア（Early Media：発信者へ向けて送出される接続中を意味する可聴音）によるメディアセッションを設定することができる。このとき、オーディオデータだけでなく、テキスト、イメージ、動画、フラッシュアニメのようなマルチメディアデータによるメディアセッションを設定することもできる。
【０００６】
さらに、ＮＧＮは、高機能なメディアの通信に対応していることに特徴がある。例えば、オーディオメディアとして、Ｇ．７１１だけではなく、Ｇ．７２２やＧ．７１１．１などの音声を通信することが可能であり、また、映像メディアとして、Ｈ．２６４やハイビジョンビデオのような高機能な映像を通信することが可能である。
【０００７】
このような状況のもとで、セッション制御サーバを使った無応答転送サービスを提供するに際しては、着端末と着転送先端末とでメディアタイプが異なる場合があり、この場合、アーリーメディアも異なることになる（例えば、音声メディアと画像メディア）。
【０００８】
そのため、この場合、アーリーメディアのメディアセッションを、着端末が対応するアーリーメディアによるメディアセッションから、着転送先端末が対応するアーリーメディアによるメディアセッションへ張替える必要がある。
【０００９】
しかし、従来、アーリーメディアのメディアセッションを設定する技術は存在するものの、着信呼の転送と同時に行うことが必要とされる、アーリーメディアのメディアセッションを張替える技術に関する文献は見当たらない。
【先行技術文献】
【非特許文献】
【００１０】
【非特許文献１】宇治則孝「豊かなブロードバンド・ユビキタス社会を築くＮＧＮ」ＮＴＴ技術ジャーナル  ２００７．１２
【発明の概要】
【発明が解決しようとする課題】
【００１１】
上述のように、セッション制御サーバを使った無応答転送サービスにおいては、アーリーメディアのメディアセッションの張替えが必要となるが、そのための技術が従来は存在しないという課題がある。
【００１２】
そこで、本発明の目的は、セッション制御サーバを使った無応答転送サービスにおいて、アーリーメディアのメディアセッションの張替えを行うことができる転送システムおよびセッション制御サーバを提供することにある。
【課題を解決するための手段】
【００１３】
上記目的を達成するために本発明の転送システムは、
ＳＩＰによりセッションの開始、終了の制御を行うセッション制御手段を具備し、着端末に着信した着信呼を、該着端末が無応答である場合に着転送先端末に転送する無応答転送サービスを提供するセッション制御サーバを有してなる転送システムであって、
前記セッション制御サーバは、
前記無応答転送サービスの申込を受け付けた場合、前記着端末および前記着転送先端末の電話番号と、前記着端末を無応答と判定する指標として予め設定された無応答時間と、を蓄積する蓄積手段と、
発端末から前記着端末への着信呼を受け付けた場合、前記発端末と前記着端末との間に、前記発端末および前記着端末が対応するメディアタイプに応じたアーリーメディアのメディアセッションを設定するメディアセッション設定手段と、
前記発端末から前記着端末への着信呼を受け付けた場合、該着信呼に対する前記着端末における無応答時間を測定し、測定した無応答時間が予め設定された無応答時間を超えたか否かを判定する無応答時間測定手段と、
前記着端末における無応答時間が予め設定された無応答時間を超えた場合、前記発端末から前記着端末への着信呼を前記着転送先端末に転送する転送手段と、
前記着転送先端末に着信呼が転送された場合、前記発端末と前記着端末との間に設定されたメディアセッションを解除し、前記発端末と前記着転送先端末との間に、前記発端末および前記着転送先端末が対応するメディアタイプに応じたアーリーメディアのメディアセッションを再設定するメディアセッション再設定手段と、を有することを特徴とする。
【００１４】
上記目的を達成するために本発明のセッション制御サーバは、
ＳＩＰによりセッションの開始、終了の制御を行うセッション制御手段を具備し、着端末に着信した着信呼を、該着端末が無応答である場合に着転送先端末に転送する無応答転送サービスを提供するセッション制御サーバであって、
前記無応答転送サービスの申込を受け付けた場合、前記着端末および前記着転送先端末の電話番号と、前記着端末を無応答と判定する指標として予め設定された無応答時間と、を蓄積する蓄積手段と、
発端末から前記着端末への着信呼を受け付けた場合、前記発端末と前記着端末との間に、前記発端末および前記着端末が対応するメディアタイプに応じたアーリーメディアのメディアセッションを設定するメディアセッション設定手段と、
前記発端末から前記着端末への着信呼を受け付けた場合、該着信呼に対する前記着端末における無応答時間が予め設定された無応答時間を超えたか否かを判定する無応答時間測定手段と、
前記着端末における無応答時間が予め設定された無応答時間を超えた場合、前記発端末から前記着端末への着信呼を前記着転送先端末に転送する転送手段と、
前記着転送先端末に着信呼が転送された場合、前記発端末と前記着端末との間に設定されたメディアセッションを解除し、前記発端末と前記着転送先端末との間に、前記発端末および前記着転送先端末が対応するメディアタイプに応じたアーリーメディアのメディアセッションを再設定するメディアセッション再設定手段と、を有することを特徴とする。
【発明の効果】
【００１５】
本発明のセッション制御サーバは、着端末に着信した着信呼を、着端末が無応答である場合に着転送先端末に転送する無応答転送サービスの申込を受け付けた場合、着端末および着転送先端末の電話番号と、予め設定された無応答時間と、を蓄積する。そして、着端末への着信呼を受け付けた場合、発端末と着端末との間に、発端末および着端末が対応するメディアタイプに応じたアーリーメディアのメディアセッションを設定し、着端末における無応答時間が予め設定された無応答時間を超えた場合、着信呼を着転送先端末に転送し、発端末と着端末との間に設定されたメディアセッションを解除し、発端末と着転送先端末との間に、発端末および着転送先端末が対応するメディアタイプに応じたアーリーメディアのメディアセッションを再設定する。
【００１６】
従って、セッション制御サーバにおいて、着端末に着信した着信呼を着転送先端末に転送すると同時に、発端末および着転送先端末のメディアタイプに応じて、アーリーメディアのメディアセッションを張替えることができ、これにより、利用者の利便の向上が図れる。
【００１７】
例えば、利用者が、音声電話端末（着端末）と、ＴＶ電話端末等の高機能端末（着転送先端末）を有していたとする。このとき、音声メディアおよび画像メディアの双方に対応する発端末から、画像メディアを要求する呼が音声電話端末に着信した場合は、まず、音声電話端末が対応する音声によるアーリーメディアのメディアセッションを張り、その後に無応答時間がタイムアウトすると、画像メディアに対応する高機能端末へ着信呼を転送させると同時に、高機能端末が対応する画像によるアーリーメディアのメディアセッションに張替えることができる。
【図面の簡単な説明】
【００１８】
【図１】本発明の一実施形態の転送システムの構成を示す図である。
【図２】図１に示したセッション制御サーバの構成を示すブロック図である。
【図３】図１に示した転送システムの動作を説明するシーケンス図である。
【発明を実施するための形態】
【００１９】
（１）発明概略
本発明においては、セッション制御サーバにおいて、着端末に着信した着信呼を、着端末が無応答である場合に着転送先端末に転送する無応答転送サービスの申込を受け付け、無応答転送サービスの内容（着端末の電話番号、着転送先端末の電話番号、予め設定された無応答時間）を蓄積する。
【００２０】
そして、セッション制御サーバにおいて、発端末から着端末への着信呼を受け付けた場合、発端末、着端末、および着転送先端末のメディアタイプと無応答転送サービスの内容とを基に、着信呼の転送、アーリーメディアのメディアセッションの張替えを行う。
【００２１】
以下に、本発明を実施するための形態について図面を参照して説明する。
（２）システム構成
図１は、本発明の一実施形態の転送システムの構成を示す図である。
【００２２】
図１に示すように、本実施形態の転送システムは、端末装置１０ａ〜１０ｃと、セッション制御サーバ２０ａ〜２０ｃと、を有している。
【００２３】
セッション制御サーバ２０ａ〜２０ｃは、それぞれ加入者データ２３ａ〜２３ｃを保持するサーバである。加入者データは、自サーバが収容している端末装置が加入している無応答転送サービスの内容（着端末の電話番号（加入者電話番号）、着転送先端末の電話番号（転送先電話番号）、無応答時間）や無応答転送起動の有無を示すデータである。
【００２４】
端末装置１０ａは、電話番号が「０１２−３４５−５５５５」で、メディアタイプＹおよびＺに対応した端末であり、端末装置１０ｂは、電話番号が「０１２−３４５−６６６６」で、メディアタイプＹに対応した端末であり、端末装置１０ｃは、電話番号が「０２３−４５６−７７７７」で、メディアタイプＺに対応した端末であるものとする。
【００２５】
利用者は、例えば、端末装置１０ｂを着端末とする無応答転送サービスの申込を行う場合、端末装置１０ｂを介してセッション制御サーバ２０ｂに申込を行う。
（３）セッション制御サーバ２０ａ〜２０ｃの構成
図２は、図１に示したセッション制御サーバ２０ａ〜２０ｃの構成を示すブロック図である。
【００２６】
図２に示すように、セッション制御サーバ２０ａ〜２０ｃの各々は、セッション制御手段２１と、受付手段２２と、蓄積手段２３と、メディアセッション設定手段２４と、対象呼判定手段２５と、無応答時間測定手段２６と、転送手段２７と、メディアセッション再設定手段２８と、を有している。
【００２７】
セッション制御手段２１は、ＳＩＰによりセッションの開始、終了の制御を行う。
【００２８】
受付手段２２は、着端末に着信した着信呼を、着端末が無応答である場合に着転送先端末に転送する無応答転送サービスの申込を受け付ける。
【００２９】
そして、受付手段２２は、申込を受け付けた無応答転送サービスの内容（着端末および着転送先端末の電話番号と、着端末を無応答と判定する指標として利用者が予め設定した無応答時間）および無応答転送起動の有無を、上述の加入者データとして蓄積手段２３に蓄積する。
【００３０】
メディアセッション設定手段２４は、発端末から着信呼を受け付けると、着信呼に設定されたメディアタイプの情報に応じて、発端末のメディアタイプを判断し、また、着信呼に設定された着信電話番号に対応する着端末から返送されてきた、着信呼に対して応答した信号（例えば、後述する１８３信号）に設定されたメディアタイプの情報に応じて、着端末のメディアタイプを判断する。
【００３１】
そして、メディアセッション設定手段２４は、発端末と着端末との間に、発端末および着端末が対応するメディアタイプに応じたアーリーメディアのメディアセッションを設定する。
【００３２】
対象呼判定手段２５は、発端末から着信呼を受け付けると、着信呼に設定された着信電話番号と蓄積手段２３に蓄積された着端末の電話番号とを照合して、着信呼が無応答転送サービスの対象呼か否かを判定する。
【００３３】
無応答時間測定手段２６は、着信呼が無応答転送サービスの対象呼である場合、着信呼に設定された着信電話番号に対応する着端末における、着信呼に対する無応答時間が、蓄積手段２３に蓄積された、予め設定された無応答時間を超えたか否かを、タイマーを使って判定する。
【００３４】
転送手段２７は、着端末における無応答時間が予め設定された無応答時間を超えた場合、蓄積手段２３に蓄積された着転送先端末の電話番号へ着信呼を転送する。
【００３５】
メディアセッション再設定手段２８は、着転送先端末に着信呼が転送されると、着信呼に設定されたメディアタイプの情報に応じて、発端末のメディアタイプを判断し、また、着転送先端末から返送されてきた、着信呼に対して応答した信号（例えば、後述する１８３信号）に設定されたメディアタイプの情報に応じて、着転送先端末のメディアタイプを判断する。
【００３６】
そして、メディアセッション再設定手段２８は、発端末と着端末との間に設定されたメディアセッションを解除し、発端末と着転送先端末との間に、発端末および着転送先端末が対応するメディアタイプに応じたアーリーメディアのメディアセッションを再設定する。
（４）システム機能
本発明は、上記に述べたシステム構成において、次の機能を可能にするものである。
【００３７】
ここでは、利用者は、電話番号「０１２−３４５−６６６６」の端末装置１０ｂに着信する着信呼を、端末装置１０ｂにおける無応答時間が１０秒を超えた場合に、電話番号「０２３−４５６−７７７７」の端末装置１０ｃに転送する無応答転送サービスの申込を行ったとする。また、電話番号「０１２−３４５−５５５５」の端末装置１０ａが電話番号「０１２−３４５−６６６６」の端末装置１０ｂに発信を行ったとする。そのため、以下では、端末装置１０ａ，１０ｂ，１０ｃを、それぞれ発端末装置１０ａ、着端末装置１０ｂ、着転送先端末装置１０ｃと称し、また、セッション制御サーバ２０ａ，２０ｂ，２０ｃを、それぞれ発セッション制御サーバ２０ａ、着転送元セッション制御サーバ２０ｂ、着転送先セッション制御サーバ２０ｃと称す（次の（５）も同様）。
【００３８】
このとき、着転送元セッション制御サーバ２０ｂは、メディアタイプＹおよびＺに対応した発端末装置１０ａから、電話番号「０１２−３４５−６６６６」の着端末装置１０ｂ宛の着信呼を受け付けると、着信呼を着端末装置１０ｂへ着信させると同時に、１０秒間のタイマーを設定し、発端末装置１０ａと着端末装置１０ｂとの間に、メディアタイプＹによるアーリーメディアのメディアセッションを設定する。これにより、着端末装置１０ｂから発端末装置１０ａに向けて、メディアタイプＹのアーリーメディア（例えば、呼び出し中ですという音声メッセージや着メロのような音楽）が送出される。
【００３９】
着転送元セッション制御サーバ２０ｂは、１０秒以内に着端末装置１０ｂから２００ＯＫ信号が返送されない場合、タイムアウトとし、着端末装置１０ｂの呼び出しをキャンセルし、着信呼を電話番号「０２３−４５６−７７７７」の着転送先端末装置１０ｃへ転送する。これと同時に、発セッション制御サーバ２０ａは、発端末装置１０ａと着端末装置１０ｂとの間に設定された、メディアタイプＹによるアーリーメディアのメディアセッションを解除し、発端末装置１０ａと着転送先端末装置１０ｃとの間に、メディアタイプＺによるアーリーメディアのメディアセッションを設定する。これにより、着転送先端末装置１０ｃから発端末装置１０ａに向けて、メディアタイプＺのアーリーメディア（例えば、美しい風景などの映像）が送出される。
【００４０】
一方、着転送元セッション制御サーバ２０ｂは、１０秒以内に着端末装置１０ｂから２００ＯＫ信号が返送された場合、発端末装置１０ａと着端末装置１０ｂとの間に設定された、メディアタイプＹによるアーリーメディアのメディアセッションを解除し、発端末装置１０ａと着端末装置１０ｂとの間にメディアタイプＹによるメディアセッションを確立し、発端末装置１０ａと着端末装置１０ｂとの通話を成立させる。
（５）システム動作
図３は、図１に示した転送システムの動作を説明するシーケンス図である。
【００４１】
図３に示すように、まず、発端末装置１０ａは、電話番号「０１２−３４５−６６６６」の着端末装置１０ｂを呼び出すためにＩＮＶＩＴＥ with ＳＤＰ Y & Z信号を送信する（ステップＡ１，Ａ２）。ここで、ＩＮＶＩＴＥ with ＳＤＰ Y & Z信号は、ＩＮＶＩＴＥ信号のＳＤＰ（Session Description Protocol）に発端末装置１０ａがメディアタイプＹおよびＺに対応する端末であることを示す情報が設定されていることを意味している。
【００４２】
着転送元セッション制御サーバ２０ｂは、ＩＮＶＩＴＥ with ＳＤＰ Y & Z信号を受信すると、ＩＮＶＩＴＥ with ＳＤＰ Y & Z信号に設定された着信電話番号「０１２−３４５−６６６６」をキーにして、予め蓄積した無応答転送サービス内容を検索し、「電話番号「０１２−３４５−６６６６」の着端末装置１０ｂへの着信呼に対しては、１０秒間の無応答後に電話番号「０２３−４５６−７７７７」の着転送先端末装置１０ｃに転送する」というシナリオに基づく制御を行う。
【００４３】
着転送元セッション制御サーバ２０ｂは、１０秒間のタイマーを起動し（ステップＡ３）、これと同時に、着端末装置１０ｂにＩＮＶＩＴＥ with ＳＤＰ Y & Z信号を送信する（ステップＡ４）。
【００４４】
着端末装置１０ｂは、ＩＮＶＩＴＥ with ＳＤＰ Y & Zを受信すると、１８３ with ＳＤＰ Y信号を発端末装置１０ａへ向けて返送する（ステップＡ５）。ここで、１８３ with ＳＤＰ Y信号は、１８３信号のＳＤＰに着端末装置１０ｂがメディアタイプＹに対応する端末であることを示す情報が設定されていること、および、ＳＩＰによるセッション確立が進行中であることを意味している。
【００４５】
着転送元セッション制御サーバ２０ｂは、１８３ with ＳＤＰ Yを受信すると、発端末装置１０ａと着端末装置１０ｂとの間に、メディアタイプＹによるアーリーメディアのメディアセッションを設定する（ステップＡ６，Ａ７）。
【００４６】
着転送元セッション制御サーバ２０ｂは、１０秒以内に着端末装置１０ｂから２００ＯＫ信号が返送されない場合、タイムアウトにより（ステップＡ８）、着端末装置１０ｂの呼び出しをキャンセルし（ステップＡ９）、電話番号「０２３−４５６−７７７７」の着転送先端末装置１０ｃへＩＮＶＩＴＥ with ＳＤＰ Y & Z信号を転送する（ステップＡ１０，Ａ１１）。
【００４７】
着転送先端末装置１０ｃは、ＩＮＶＩＴＥ with ＳＤＰ Y & Z信号を受信すると、１８３ with ＳＤＰ Z信号を発端末装置１０ａへ向けて返送する（ステップＡ１２，Ａ１３，Ａ１４）。ここで、１８３ with ＳＤＰ Z信号は、１８３信号のＳＤＰに着転送先端末装置１０ｃがメディアタイプＺに対応する端末であることを示す情報が設定されていること、および、ＳＩＰによるセッション確立が進行中であることを意味している。
【００４８】
発セッション制御サーバ２０ａは、１８３ with ＳＤＰ Zを受信すると、着端末装置１０ｂと発端末装置１０ａとの間に設定されていたメディアタイプＹによるアーリーメディアのメディアセッションを解除し、発端末装置１０ａと着転送先端末装置１０ｃとの間に、メディアタイプＺによるアーリーメディアのメディアセッションを再設定する（ステップＡ１５）。
【００４９】
その後、着転送先端末装置１０ｃから発端末装置１０ａへ２００ＯＫ信号が返送されると（ステップＡ１６，Ａ１７，Ａ１８，Ａ１９）、発セッション制御サーバ２０ａは、発端末装置１０ａと着転送先端末装置１０ｃとの間にＳＩＰによるセッションを確立し、発端末装置１０ａと着転送先端末装置１０ｃとの通話を成立させる（ステップＡ２０）。
【００５０】
なお、本実施形態においては、発端末装置１０ａおよび着端末装置１０ｂが共通して対応するメディアタイプＹがあることを前提とし、着端末装置１０ｂへの着信時に、この共通するメディアタイプＹによるアーリーメディアのメディアセッションを設定するものとして説明したが、共通するメディアタイプがない場合は、メディアセッションの設定を行わない。
【００５１】
また、本実施形態においては、発端末装置１０ａおよび着転送先端末装置１０ｃが共通して対応するメディアタイプＺがあることを前提とし、着転送先端末装置１０ｃへの転送時に、この共通するメディアタイプＺによるアーリーメディアのメディアセッションを再設定するものとして説明したが、共通するメディアタイプがない場合は、488 応答してセッションネゴシエーション未確立とする。
【符号の説明】
【００５２】
１０ａ〜１０ｃ    端末装置
２０ａ〜２０ｃ    セッション制御サーバ
２１    セッション制御手段
２２    受付手段
２３    蓄積手段
２４    メディアセッション設定手段
２５    対象呼判定手段
２６    無応答時間測定手段
２７    転送手段
２８    メディアセッション再設定手段
【図１】
0005374472.tif 000002
【図２】
0005374472.tif 000003
【図３】
0005374472.tif 000004